(57)【要約】      （修正有）【課題】ポータブルバーベキュー装置の提供。【解決手段】箱体、蓋体、炉体及び食材固定フレームを具えている。箱体は収容空間を提供し、炉体は熱源を提供し、食材固定フレームは食材定位を提供し、更に蓋体のカバーが組み合わされて、食材が箱体が提供する収容空間内でベークを行う。ポータブルバーベキュー装置は軽量化され且つ分解組み立てが容易な設計とされ、並びにその包含する各部品を分解後に相互に重畳させて放置でき、収納と携帯の特性を有する。【選択図】図２
0003117091.tif 000002
【実用新案登録請求の範囲】
【請求項１】
ポータブルバーベキュー装置であって、
折り畳まれた紙板を展開してなり、箱体内が垂直方向に通じた収容空間であって並びに一側底端に入気孔が設けられて空気の進入に供される箱体と、
紙材で構成されて箱体上端を閉じ、上端に握持部を具えて握持に供され、別に空気調節弁が設けられて空気調節弁開放時に空気排出に供される蓋体と、
箱体の収容空間の底端に設けられて熱源を提供し、複数の金属板が相互に嵌合されてなる組合せ式炉体であり炉体の上層が木炭溝とされ燃焼用の木炭を載せるのに供され、炉体下層が空気導入溝とされ、空気導入溝と木炭溝が通気孔を具備して空気の木炭溝への進入に供される炉体と、
箱体の収容空間内に架設されて食材を搭載するのに用いられ、食材を箱体の収容空間中に定位し、炉体と特定距離を保持させる食材固定フレームと、
を少なくとも包含することを特徴とする、ポータブルバーベキュー装置。
【請求項２】
請求項１記載のポータブルバーベキュー装置であって、箱体の折り畳まれた紙板を展開してなる造形が、四角形、円形及び多角形を包含することを特徴とする、ポータブルバーベキュー装置。
【請求項３】
請求項１記載のポータブルバーベキュー装置であって、食材固定フレームが箱体を横向きに貫通するロッド体、垂直方向にロッド体に掛設されて食材の掛け置きに供される掛材、箱体にロッド体が貫通するのに対応して設けられた穿孔周囲を被覆する金属補強材であって金属補強材にロッド体に貫通するよう貫通孔が設けられた金属補強材を包含することを特徴とする、ポータブルバーベキュー装置。
【請求項４】
請求項１記載のポータブルバーベキュー装置であって、食材固定フレームが横向きに箱体を貫通する複数のロッド体を包含し、各ロッド体間が相互に平行に設置されて食材載置に供されることを特徴とする、ポータブルバーベキュー装置。
【請求項５】
請求項３記載のポータブルバーベキュー装置であって、各平行なロッド体上に網体が敷設されて、食材載置に供されることを特徴とする、ポータブルバーベキュー装置。
【請求項６】
請求項１記載のポータブルバーベキュー装置であって、箱体内側に若干の凸部が凸設され、食材固定フレームが凸部上に架設された網体で構成されて食材載置に供されることを特徴とする、ポータブルバーベキュー装置。
【請求項７】
請求項１記載のポータブルバーベキュー装置であって、食材固定フレームが炉体上端に架設された網体で構成されて食材載置に供されることを特徴とする、ポータブルバーベキュー装置。
【請求項８】
請求項１記載のポータブルバーベキュー装置であって、炉体が底板、底板端側に枢設された二つの下立板、上切溝が設けられて下立板に設けられた下切溝と交差するように組み合わされる二つの上立板が組み合わされてなり、下立板と上立板に複数の孔が設けられて、架板の突出する凸耳を通すのに供され、架板に複数の通気孔が設けられて炉体が上下に区画されて木炭溝と空気導入溝とされ、上立板の底端近くに切欠きが設けられて、空気導入に供されることを特徴とする、ポータブルバーベキュー装置。
【請求項９】
請求項１記載のポータブルバーベキュー装置であって、ポータブルバーベキュー装置の収納実施時に、箱体が折り畳みの態様を呈し、炉体の各金属板片が単独で分解後に積み重なった態様を呈し、箱体、炉体、蓋体及び食材固定フレームが相互に積み重ねられて偏平状の収納体内に収容されることを特徴とする、ポータブルバーベキュー装置。
【考案の詳細な説明】
【技術分野】
【０００１】
本考案は一種のバーベキュー装置の設計に係り、特に携帯に便利で工具を使用せずに分解と組み立てが行えるポータブルバーベキュー装置に関する。
【背景技術】
【０００２】
一般の焼き肉方式は、食材を熱源の上方に置き、熱源はわずかに底端より食材に対して加熱を行う。その主要な目的は、食材の受熱部分に火を通すことにあり、このため食材に完全に火を通すためには、食材をつねにひっくり返さねばならず、そうしなければ局部が焼け焦げるか焼きすぎとなり、その他の部分の食材が生の状況が発生する。
【０００３】
バーベキューは特殊な調理方式であり、それは食材をほぼ閉じた高温の特定空間中に固定し、特定空間内の熱対流を利用して食品全体に安定した加熱を行い、火を通す。このため、食品が調理される過程で均一に加熱されて局部炭化の問題を発生しにくい。しかし、ベークの実施には閉じた特定空間が必要であり、このため往々にして屋外で実施しにくく、例えば屋外でバーベキューする時には、適当な環境を探さねばならず、更に環境中で、穴を掘るか、切り出す方式で厚い土窯を形成し、土窯の形成によりバーベキューに必要な特定空間を形成し、更に熱源と食材を土鍋中の適当な部分に置き、ベークを行う。このような実施は時間と空間の制限があり、実施しにくく、且つ実施後には環境を整理しにくい問題があり、並びに土窯の設置不良があれば、傾倒等の問題が発生する。且つ一般に室内で採用される大型のバーベキュー装置は、その占める体積と実施重量が大きく、外出携帯に不適合である。
【考案の開示】
【考案が解決しようとする課題】
【０００４】
従来の技術の実施上の数々の問題を鑑み、携帯に便利なバーベキュー装置を設計し、屋外で簡単に設置、組み立て及び分解できるものとするのが本考案の主要な訴求である。
【０００５】
本考案のポータブルバーベキュー装置は、少なくとも、折り畳まれた紙板を展開してなり、箱体内が垂直方向に通じた収容空間であって並びに一側底端に入気孔が設けられて空気の進入に供される箱体と、紙材で構成されて箱体上端を閉じ、上端に握持部を具えて握持に供され、別に空気調節弁が設けられて空気調節弁開放時に空気排出に供される蓋体と、箱体の収容空間の底端に設けられて熱源を提供し、複数の金属板が相互に嵌合されてなる組合せ式炉体であり炉体の上層が木炭溝とされ燃焼用の木炭を載せるのに供され、炉体下層が空気導入溝とされ、空気導入溝と木炭溝が通気孔を具備して空気の木炭溝への進入に供される炉体と、箱体の収容空間内に架設されて食材を搭載するのに用いられ、食材を箱体の収容空間中に定位し、炉体と特定距離を保持させる食材固定フレームと、を包含する。
【０００６】
これにより、ポータブルバーベキュー装置の収納実施時に、箱体は折り畳みの態様を呈し、炉体が各金属板片を単独で分解後に折り畳む態様を呈し、これにより、箱体、炉体、蓋体、及び食材固定フレームが相互に積み重なった収納構造を呈して偏平状の収納体に収容され、使用者が屋外レジャー活動時に車両のトランクに携行或いは放置でき、多くの空間を占用しない。
【課題を解決するための手段】
【０００７】
請求項１の考案は、ポータブルバーベキュー装置であって、
折り畳まれた紙板を展開してなり、箱体内が垂直方向に通じた収容空間であって並びに一側底端に入気孔が設けられて空気の進入に供される箱体と、
紙材で構成されて箱体上端を閉じ、上端に握持部を具えて握持に供され、別に空気調節弁が設けられて空気調節弁開放時に空気排出に供される蓋体と、
箱体の収容空間の底端に設けられて熱源を提供し、複数の金属板が相互に嵌合されてなる組合せ式炉体であり炉体の上層が木炭溝とされ燃焼用の木炭を載せるのに供され、炉体下層が空気導入溝とされ、空気導入溝と木炭溝が通気孔を具備して空気の木炭溝への進入に供される炉体と、
箱体の収容空間内に架設されて食材を搭載するのに用いられ、食材を箱体の収容空間中に定位し、炉体と特定距離を保持させる食材固定フレームと、
を少なくとも包含することを特徴とする、ポータブルバーベキュー装置としている。
請求項２の考案は、請求項１記載のポータブルバーベキュー装置であって、箱体の折り畳まれた紙板を展開してなる造形が、四角形、円形及び多角形を包含することを特徴とする、ポータブルバーベキュー装置としている。
請求項３の考案は、請求項１記載のポータブルバーベキュー装置であって、食材固定フレームが箱体を横向きに貫通するロッド体、垂直方向にロッド体に掛設されて食材の掛け置きに供される掛材、箱体にロッド体が貫通するのに対応して設けられた穿孔周囲を被覆する金属補強材であって金属補強材にロッド体に貫通するよう貫通孔が設けられた金属補強材を包含することを特徴とする、ポータブルバーベキュー装置としている。
請求項４の考案は、請求項１記載のポータブルバーベキュー装置であって、食材固定フレームが横向きに箱体を貫通する複数のロッド体を包含し、各ロッド体間が相互に平行に設置されて食材載置に供されることを特徴とする、ポータブルバーベキュー装置としている。
請求項５の考案は、請求項３記載のポータブルバーベキュー装置であって、各平行なロッド体上に網体が敷設されて、食材載置に供されることを特徴とする、ポータブルバーベキュー装置としている。
請求項６の考案は、請求項１記載のポータブルバーベキュー装置であって、箱体内側に若干の凸部が凸設され、食材固定フレームが凸部上に架設された網体で構成されて食材載置に供されることを特徴とする、ポータブルバーベキュー装置としている。
請求項７の考案は、請求項１記載のポータブルバーベキュー装置であって、食材固定フレームが炉体上端に架設された網体で構成されて食材載置に供されることを特徴とする、ポータブルバーベキュー装置としている。
請求項８の考案は、請求項１記載のポータブルバーベキュー装置であって、炉体が底板、底板端側に枢設された二つの下立板、上切溝が設けられて下立板に設けられた下切溝と交差するように組み合わされる二つの上立板が組み合わされてなり、下立板と上立板に複数の孔が設けられて、架板の突出する凸耳を通すのに供され、架板に複数の通気孔が設けられて炉体が上下に区画されて木炭溝と空気導入溝とされ、上立板の底端近くに切欠きが設けられて、空気導入に供されることを特徴とする、ポータブルバーベキュー装置としている。
請求項９の考案は、請求項１記載のポータブルバーベキュー装置であって、ポータブルバーベキュー装置の収納実施時に、箱体が折り畳みの態様を呈し、炉体の各金属板片が単独で分解後に積み重なった態様を呈し、箱体、炉体、蓋体及び食材固定フレームが相互に積み重ねられて偏平状の収納体内に収容されることを特徴とする、ポータブルバーベキュー装置としている。
【考案の効果】
【０００８】
本考案のポータブルバーベキュー装置の収納実施時に、箱体は折り畳みの態様を呈し、炉体が各金属板片を単独で分解後に折り畳む態様を呈し、これにより、箱体、炉体、蓋体、及び食材固定フレームが相互に積み重なった収納構造を呈して偏平状の収納体に収容され、使用者が屋外レジャー活動時に車両のトランクに携行或いは放置でき、多くの空間を占用しない。
【考案を実施するための最良の形態】
【０００９】
図１は本考案のポータブルバーベキュー装置の収納状態表示図である。本考案のポータブルバーベキュー装置１０の設計は、箱体１、蓋体２、炉体３、及び食材固定フレーム４を包含する。収納実施時に、箱体１は折り畳みの態様を呈し、炉体３は各金属板片を単独で折り畳んだ後に積み重ねた態様を呈し、箱体１、炉体２、蓋体３及び食材固定フレーム４が相互に積み重なった収納構造を呈して偏平状の収納体５内に収容され、使用者の携帯と放置が行えるものとされる。
【００１０】
図２及び図３に示されるのは本考案のポータブルバーベキュー装置の第１実施態様の立体組合せ図と断面図であり、図中の箱体１は折り畳まれた紙板が展開されてなり、その展開されてなる造形は、四角形、円形或いは多角形の柱状或いは錐状造形とされる。箱体１内は垂直方向に通じた収容空間１１とされ、また箱体１の１側底端に入気孔２４が設けられて空気進入に供される。前述の箱体１に採用される紙板は、耐熱処理された紙板、或いは内面がアルミ箔で覆われた紙板を採用して実施可能である。
【００１１】
蓋体２は紙板で構成されて箱体１の上端を閉じ、蓋体２は上端に握持部２１を具えて握持に供され、別に空気調節弁２２が設けられて空気調節弁２２は開放時に空気排出に供され、遮蔽時に空気の流通を遮断し、空気調節弁２２開放後に、簡易な支持部品２２１で支持し開放状態を維持し、並びに開放の大きさが空気流量調節に供される。
【００１２】
炉体３は箱体１の収容空間１１の底端に設けられて熱源を提供し、それは複数の金属板が相互に嵌合されてなる組合せ式炉体３であり炉体３の上層が木炭溝３１とされ燃焼用の木炭を載せるのに供され、炉体３下層が空気導入溝３２とされ、空気導入溝３２と木炭溝３１間に通気孔３３を具備して空気の木炭溝３１への進入に供される。
【００１３】
食材固定フレーム４は、箱体１の収容空間１１内に架設されて食材を搭載するのに用いられ、食材を箱体１の収容空間１１中に定位し、炉体３と特定距離を保持させる。本考案のポータブルバーベキュー装置の第１実施態様の食材固定フレーム４は更に横向きに箱体を貫通するロッド体４１、垂直方向にロッド体に掛設されて食材の掛置に供される掛材４２を包含し、これは箱体１の、ロッド体４１貫通に対応する穿孔１３周囲に金属補強材４３が被覆設置され、金属補強材４３に貫通孔４３１が設けられてロッド体４３１が貫通することで実施される。
【００１４】
これにより、炉体３の木炭溝３１に木炭が放置され、燃焼が実施される時、発生する熱は熱対流の方式で箱体１の収容空間１１の温度を増し、これにより食材に均一且つ安定した加熱を行い、食品に火を通す。
【００１５】
図４は本考案のポータブルバーベキュー装置の第２実施態様の立体組合せ図である。図示されるのは食材固定フレーム４の別の実施例であり、示される食材固定フレーム４は、複数の、箱体を貫通するロッド体４１を包含し、各ロッド体４１間は相互に平行に設置されて直接食材を載置する。
【００１６】
或いは図５に示される本考案のポータブルバーベキュー装置の第３実施態様の立体組合せ図に示されるように、食材固定フレーム４の実施は前述の平行に設置されたロッド体４１に網体４４が敷設されて、食材載置に供される。
【００１７】
或いは図６に示される本考案のポータブルバーベキュー装置の第４実施態様の立体組合せ図のように、箱体１内側に若干の凸部１４が設けられ、食材固定フレーム４は凸部１４上の網体４４で構成されて更に食材載置に供される。
【００１８】
また、図７に示される本考案のポータブルバーベキュー装置の第５実施態様は比較的高い調理温度を要求する設計であり、そのうち、食材固定フレーム４は直接炉体３上端に架設される網体４４により構成されて、食材載置に供され、食材を熱源に接近させて必要な調理温度を獲得する。
【００１９】
図８は本考案のポータブルバーベキュー装置の炉体立体分解図であり、炉体３は、底板３４、底板３４端側に枢設された二つの下立板３５、上切溝３６１を具えて下立板３５に設けられた下切溝３５１と交差するように組み合わされる二つの上立板３６が組み合わされてなり、その組合せ後の立体外観図は図９のようである。
【００２０】
下立板３５と上立板３６にそれぞれ複数の孔３５２、３６２が設けられて、架板３７の凸耳３７１を通して架設するのに供され、凸耳３７１の設置は平面に横向きに延伸するよう突出するか、或いは折り曲げ状に突出するように実施される。架板３７に複数の通気孔３３が設けられ、並びに炉体３の上下が区画されて、木炭溝３１と空気導入溝３２とされる。次に、上立板３６の底端近くに切欠き３６３が木炭溝３１て空気導入に供され、これにより、空気が切欠き３６３より空気導入溝３２に進入し、さらに通気孔３３より木炭溝３１中に進入する。
【００２１】
しかし、以上の実施説明及び図面は、本考案の好ましい実施例であって、本考案を制限するものではない。例えば、前述の各実施態様は複合の方式を採用して実施可能で、また他種類の異なる調理温度の食材に直接或いは間接的ベークを提供でき、並びに各実施態様に必要な部品は同一の収納体内に収納され、使用者が自分で必要な実施態様を選択できるものとされうる。
【図面の簡単な説明】
【００２２】
【図１】本考案のポータブルバーベキュー装置の収納状態表示図である。
【図２】本考案のポータブルバーベキュー装置の第１実施態様の立体組合せ図である。
【図３】本考案のポータブルバーベキュー装置の第１実施態様の断面図である。
【図４】本考案のポータブルバーベキュー装置の第２実施態様の立体組合せ図である。
【図５】本考案のポータブルバーベキュー装置の第３実施態様の立体組合せ図である。
【図６】本考案のポータブルバーベキュー装置の第４実施態様の立体組合せ図である。
【図７】本考案のポータブルバーベキュー装置の第５実施態様の立体組合せ図である。
【図８】本考案のポータブルバーベキュー装置の立体分解図である。
【図９】本考案のポータブルバーベキュー装置の炉体の立体組合せ図である。
【符号の説明】
【００２３】
１０  ポータブルバーベキュー装置
１  箱体
１１  収容空間
１２  入気孔
１３  穿孔
１４  凸部
２  蓋体
２１  握持部
２２  空気調節弁
２２１  支持部品
３  炉体
３１  木炭溝
３２  空気導入溝
３３  通気孔
３４  底板
３５  下立板
３５１  下切溝
３５２  切欠き
３６  上立板
３６２  押し板
３６３  切欠き
３７  架板
３７１  凸耳
４  食材固定フレーム
４１  ロッド体
４２  掛材
４３  金属補強材
４３１  貫通孔
４４  網体
５  収納体
【図１】
0003117091.tif 000003
【図２】
0003117091.tif 000004
【図３】
0003117091.tif 000005
【図４】
0003117091.tif 000006
【図５】
0003117091.tif 000007
【図６】
0003117091.tif 000008
【図７】
0003117091.tif 000009
【図８】
0003117091.tif 000010
【図９】
0003117091.tif 000011